(57)【要約】【課題】ユーザが自分の発光器にのみ適切な識別情報（ＩＤ）を書き込むことができる技術を提供する。【解決手段】発光器１０であって、発光体２と、発光器１０を特定する指定ＩＤと発光体２の発光態様を指示する発光指示コードとを含む発光制御信号を受信する受信部５と、ユーザが所有する携帯端末５０から出力され、発光器２に割り当てる識別ＩＤを含む音声データを受信するマイク４と、音声データに含まれる識別ＩＤを記憶する記憶媒体８ａと、発光制御信号に含まれる指定ＩＤと識別ＩＤとが一致した場合に、発光指示コードに従って発光体２を発光させる制御部８と、を備える。【選択図】図２
2020202094.tif 000002
【特許請求の範囲】
【請求項１】
発光器であって、
発光体と、
前記発光器を特定する指定ＩＤと前記発光体の発光態様を指示する発光指示コードとを含む発光制御信号を受信する受信部と、
ユーザが所有する携帯端末から出力され、前記発光器に割り当てる識別ＩＤを含む音声データを受信するマイクと、
前記音声データに含まれる前記識別ＩＤを記憶する記憶媒体と、
前記発光制御信号に含まれる前記指定ＩＤと前記識別ＩＤとが一致した場合に、前記発光指示コードに従って前記発光体を発光させる制御部と、を備える、
発光器。
【請求項２】
請求項１に記載の発光器であって、
前記発光器は複数の座席が設置される場で用いられ、
前記識別ＩＤは、前記ユーザに割り当てられた前記座席の位置に応じて設定される、
発光器。
【請求項３】
発光器と、前記発光器を特定する指定ＩＤと前記発光器の発光態様を指示する発光指示コードとを含む発光制御信号を出力する発光制御装置とを有する発光システムであって、
前記発光器は、
発光体と、
前記発光制御信号を受信する受信部と、
ユーザが所有する携帯端末から出力され、前記発光器に割り当てる識別ＩＤを含む音声データを受信するマイクと、
前記音声データに含まれる前記識別ＩＤを記憶する記憶媒体と、
前記発光制御信号に含まれる前記指定ＩＤと前記識別ＩＤとが一致した場合に、前記発光指示コードに従って前記発光体を発光させる制御部と、を備える、
発光システム。
【発明の詳細な説明】
【技術分野】
【０００１】
本発明は、ペンライトなどの発光器、および発光器を有する発光システムに関する。
【背景技術】
【０００２】
従来、コンサート会場等で使用され、主催者側の遠隔操作により会場全体にわたる観客席に任意の光の文字、模様等を表現できる演出用発光装置（ペンライト）が知られている。
【０００３】
例えば特許文献１では、座席の位置に対応するアドレスが割り当てられたペンライトを対応する座席に配置しておくことで、指定するアドレスに応じて各ペンライトの発光色を座席毎に遠隔制御することができる演出システムが開示されている。
【先行技術文献】
【特許文献】
【０００４】
【特許文献１】特開２００３−３６９８１号公報
【発明の概要】
【発明が解決しようとする課題】
【０００５】
しかしながら、特許文献１に開示されたペンライトは、座席に対応するアドレスを個別に書き込むとともに、アドレスが書き込まれた各ペンライトを対応する座席に事前に置いておく必要がある。
【０００６】
すなわち、従来の演出システムで使用されるペンライトは、座席毎に異なるアドレスが設定されたペンライトを事前に用意するとともに、ペンライトの配置を座席毎に管理する必要があるため、主催者側の負担が大きいという課題がある。
【０００７】
また一方で、スマートホンのBluetooth（登録商標）機能を用いて、ユーザが自分のペンライトにアドレスを書き込む手法もある。しかしながら、Bluetoothの通信距離は１０ｍを超える場合があるため、周囲の座席に配置されるペンライトに自分の座席に対応するアドレスを書き込んでしまう虞がある。
【０００８】
本発明は、このような課題を鑑みてなされたものであり、主催者側の負担を低減するとともに、ユーザが自分の発光器にのみ適切なアドレスを書き込むことができる技術を提供することを目的とする。
【課題を解決するための手段】
【０００９】
本発明による発光器は、発光体と、発光器を特定する指定ＩＤと発光体の発光態様を指示する発光指示コードとを含む発光制御信号を受信する受信部と、ユーザが所有する携帯端末から出力され、発光器に割り当てる識別ＩＤを含む音声データを受信するマイクと、音声データに含まれる識別ＩＤを記憶する記憶媒体と、発光制御信号に含まれる指定ＩＤと識別ＩＤとが一致した場合に、発光指示コードに従って発光体を発光させる制御部と、を備える。
【発明の効果】
【００１０】
本発明によれば、ユーザの携帯端末から出力される音声データを用いて発光器に個別の識別情報（ＩＤ）を書き込むことができるので、主催者側の上記負担を解消するとともに、ユーザが自分の発光器にのみ適切なＩＤを書き込むことができる。
【図面の簡単な説明】
【００１１】
【図１】本発明の一実施形態に係る発光器の外観を示す概略構成図である。
【図２】一実施形態に係る発光器の制御構造を示すブロック構成を説明する図である。
【図３】一実施形態に係る発光器のＩＤ書き込み処理の一例を示すフローチャートである。
【図４】一実施形態に係る発光システムが有する発光指示装置のブロック構成を示す図である。
【図５】一実施形態に係る発光器による発光処理の一例を示すフローチャートである。
【図６】一実施形態の発光器による発光処理が実現される態様を説明する図である。
【発明を実施するための形態】
【００１２】
[一実施形態]
図１は、本発明の一実施形態に係る発光器１０の外観を示す概略構成図である。
【００１３】
発光器１０は、コンサート会場等で観客（ユーザ）に配布されるペン型のライトであって、観客の手に持たれて使用されるものである。発光器１０は、発光部１と、発光体２と、把持部３と、マイクロフォン４と、受信部５と、電源スイッチ６と、を備える。
【００１４】
発光部１は、透明あるいは半透明の合成樹脂で形成された棒状且つ中空の部分であり、その内部に発光体２を備える。発光部１は、発光体２が発する光が外部に透過するように構成される。
【００１５】
発光体２は、発光ダイオード（ＬＥＤ）で構成される光源である。本実施形態の発光体２は、赤色ＬＥＤ素子、緑色ＬＥＤ素子、および、青色ＬＥＤ素子を含み、少なくとも３色以上の複数色を発光可能に構成される。
【００１６】
把持部３は、発光部１と連続する棒状の部分であり、ユーザは、この部分を握って発光器１０を使用する。
【００１７】
マイクロフォン４は、主にユーザの所有する携帯端末から出力される音波信号（音声データ）を受信するように構成される。本実施形態のマイクロフォン４（以下単にマイク４という）は、把持部３の内部に配置されており、マイク４が配置された部分の把持部３には、音波信号をより通しやすくするための孔が複数設けられる。マイク４は、受信した音声データを電気信号に変換して、後述するアンプ７を介してマイコン８に出力する。携帯端末から出力される音声データには、マイコン８に備わる記憶媒体に書き込むための個別の識別情報（識別ＩＤ）が含まれる。音声データ、アンプ７、及びマイコン８の詳細については図２を参照して後述する。
【００１８】
受信部５は、発光体２の発光態様を指示する発光制御信号を受信するように構成される。発光制御信号は、特定の発光器１０が備える発光体２の発光／消灯、発光色、点滅、発光の強弱、および、これらの時間的変化、等に関する発光態様（発光パターン）を指示するための信号であって、後述する発光指示装置２０から出力される。発光制御信号と、これを出力する発光指示装置２０の詳細については後述する。
【００１９】
電源スイッチ６は、発光器１０の電源をオンオフするためのスライドスイッチ又はプッシュスイッチにより構成される。ユーザは、電源スイッチをオンすることによって、発光器１０が備えるマイコン８およびマイク４等を含む電気回路を起動する。
【００２０】
続いて、図２を参照して、発光器１０のブロック構成を説明する。
【００２１】
図２は、本実施形態に係る発光器１０の概略ブロック構成図である。発光器１０は、発光体２、マイク４、受信部５、アンプ７、マイコン８を含んで構成される。なお、電源（バッテリ）およびマイコン８の起動／停止を指示する電源スイッチは省略している。また、図１を参照して上述した説明と重複する部分は割愛する。
【００２２】
マイク４は、ユーザの所有する携帯端末５０から出力される音声データを受信して、アンプ７に出力する。ここでの携帯端末５０は、少なくともスピーカを備え、マイコン８に書き込む識別ＩＤを音声データとして出力可能なモバイル機器である。携帯端末５０は、例えば、スマートホン、タブレット、及びＰＤＡ等を含む。
【００２３】
本実施形態の携帯端末５０は、ユーザが所有するスマートホン（以下、スマホ５０ともいう）である。本実施形態の発光器１０が例えばコンサートで用いられる場合、ユーザは、当該コンサートが始まる前に、主催者側が用意した専用のアプリケーション（専用アプリ）をスマホ５０にダウンロードしておくことが好ましい。この専用アプリは、コンサート毎に座席の位置に応じて割り当てられる発光器１０の識別ＩＤを取得するとともに、当該識別ＩＤをスマホ５０が備えるスピーカから音波信号として出力する機能を有する。
【００２４】
そして、ユーザは、コンサートのチケットを入手する等して自分の座席の位置に関連する情報（例えば座席番号）を得た場合には、専用アプリを立ち上げ、当該座席情報をスマホ５０に入力する。入力方法は、複数桁の英数字等で規定される座席番号を直接入力するか、或いは、チケットに印刷されたＱＲコード（登録商標）やバーコード等をスマホ５０が備えるカメラで読み取る等すればよい。これにより、専用アプリを備えるスマホ５０は、ユーザの座席に応じて設定された識別ＩＤを取得して、当該識別ＩＤを発光器１０に音波信号を介して書き込むことが可能となる。
【００２５】
そして、ユーザは、好ましくはコンサートが始まる直前までに、例えば自分の座席において専用アプリを起動し、取得した識別ＩＤを音声データとして発光器１０のマイク４に出力する。マイク４は、受信した音声データを電気信号に変換してアンプ７に出力する。なお、識別ＩＤの書き込みのために専用アプリをダウンロードしておくことは必須ではない。ユーザは、コンサートが始まる直前に、例えば主催者側が用意したサイトにアクセスして当該サイトから自分の座席に応じた識別ＩＤを直接取得してもよい。
【００２６】
アンプ７は、マイク４から出力される電気信号を増幅および整形する手段として構成される。アンプ７は、入力されるマイク４からの電気信号を所定レベルの電圧に調整し、ＩＤ書き込み用のデータコードとしてマイコン８に出力する。なお、マイコン８がマイク４から出力される電気信号を直接読み取れる場合はアンプ７を削除してもよい。
【００２７】
マイコン８は、プロセッサ（ＣＰＵ）と、記憶媒体として内蔵あるいは付設されたメモリ８ａと、入出力インタフェースとを含んで構成される。マイコン８は、アンプ７から出力されるデータコードを入力して、当該データコードに含まれる識別ＩＤをメモリ８ａに格納するＩＤ書き込み処理を実行する。
【００２８】
受信部５は、特定の発光器１０が備える発光体２の発光態様を指示する発光制御信号を受信するために構成される。一例として、発光制御信号が赤外線信号である場合は、受信部５は、フォトダイオード等の受光素子で構成される。受信部５は、受光した赤外光を電気信号に変換してマイコン８に出力する。なお、受信部５とマイコン８との間にもアンプ７と同様の増幅および整形手段を設けてもよい。これにより、発光体２の発光態様を指示する発光制御信号は、受信部５を介してマイコン８に入力される。
【００２９】
図３は、発光器１０が実行するＩＤ書き込み処理を説明するフローチャートである。本実施形態に係るＩＤ書き込み処理は、マイコン８が起動してから識別ＩＤの書き込みが終了するまでの間、一定の間隔で常時実行するようにマイコン８にプログラムされている。
【００３０】
ステップＳ１０では、マイコン８は、音声データを受信したか否かを判定する。本実施形態の音声データは、図２の上段においてその一例を示すようなシリアルデータとしてマイコン８に入力される。この音声データは、主催者側が用意した正規の音声データであることを認証するための認証コードと、座席に応じて割り当てる識別ＩＤを示すＩＤコードとを少なくとも含む。また、音声データは、データの始まりと終わりを指定するためのスタートビット（リーダコード）およびストップビットを含んでもよい。
【００３１】
ステップＳ１０において音声データが入力されたと判定されると、続くステップＳ１１の処理が実行される。音声データが入力されたか否かは、例えば音声データに含まれるスタートビットが検出されたか否かによって判定される。音声データを受信したと判定されない場合には、音声データを受信するまで待機する。
【００３２】
ステップＳ１１では、マイコン８は、入力された音声データに含まれる認証コードがマイコン８に予め記憶された正規の認証コードと一致するか否かを判定する。認証コードが一致した場合は、入力された音声データは主催者側が用意した正規の音声データであると判断され、続くステップＳ１２の処理が実行される。認証コードが一致しない場合は、認証コードが一致するまで、ステップＳ１０からステップＳ１１の処理が繰り返し実行される。
【００３３】
ステップＳ１２では、マイコン８は、入力された音声データに含まれるＩＤコードをユーザの座席の位置に応じて割り当てられた識別ＩＤとしてメモリ８ａに格納する。これにより、ユーザは、スマホ５０を使用して、自分の座席の位置に対応する個別の識別ＩＤを手持ちの発光器１０に書き込むことができる。なお、音声データのデータ容量は、スマホ５０が出力する音の周波数（可聴領域、超音波領域を含む）と、許容できる書き込み時間とを考慮して適宜設定されてよい。本実施形態の識別ＩＤは、例えば３６０ＫＢｙｔｅ以上のデータを有するように構成される。また、ＩＤ書き込み処理を実行する際に、発光器１０に識別ＩＤを書き込み中であること、或いは、識別ＩＤの書き込みが適切に終了したこと等を、発光体２を発光させる等してユーザに報知してもよい。
【００３４】
ステップＳ１２においてマイコン８に識別ＩＤが適切に書き込まれると、ＩＤ書き込み処理は終了する。
【００３５】
以上一例を述べたように、本実施形態の発光器１０は、座席位置に応じて個別に割り当てられた識別ＩＤをユーザの携帯端末５０から出力される音声データによって書き込み可能に構成される。これにより、ユーザは、自分の座席位置に応じて割り当てられた識別ＩＤを自分の持つ発光器１０にのみ適切に書き込むことができる。また、各座席に対応する識別ＩＤを各ユーザが自身の発光器１０に自分で書き込むことができるので、主催者側の負担を大幅に低減することができる。
【００３６】
以上が発光器１０が備える構成の詳細である。以下では、上述の発光制御信号を出力する発光指示装置２０について、図４を参照して説明する。
【００３７】
図４は、発光指示装置２０を説明する図である。発光指示装置２０は、複数の発光器１０の発光態様を略同時に遠隔制御できる装置であって、複数の発光器１０とともに発光システム１００を構成する。
【００３８】
発光指示装置２０は、発光器１０に対して、無線ＬＡＮやBluetooth等の電波、あるいは、可視光、赤外線、紫外線等の光によって発光器１０の発光態様を制御する発光制御信号を出力可能に構成される。本実施形態の発光指示装置２０は、発信部２１と、駆動回路２２と、マイコン２３とを含む。
【００３９】
発信部２１は、発光制御信号を電波、或いは、赤外線等によって発信可能な発光制御信号出力手段として機能する。本実施形態の発光制御信号は赤外線であるため、発信部２１は、例えば赤外線発光ダイオードで構成される。
【００４０】
駆動回路２２は、発信部２１の駆動手段として機能する。駆動回路２２は、マイコン２３からの電気信号（制御信号）を増幅および整形する手段を有し、マイコン２３からの制御信号に応じて発信部２１を発光させる。
【００４１】
マイコン２３は、駆動回路２２を介して発信部２１の発光を制御して所望の発光制御信号を出力させる発光制御手段として機能する。
【００４２】
なお、図示しないが、発光指示装置２０は、発光器１０の発光態様を手動で制御するための操作手段を有していてもよい。当該操作手段は、複数の操作スイッチを備え、主催者側のスタッフ、或いは、コンサートの演者が当該操作スイッチを操作することによって、発光器１０の発光態様を適時に制御することができるように構成される。なお、操作手段は発光指示装置２０とは別体で構成し、当該操作手段を介して発光指示装置を遠隔操作できるように構成してもよい。
【００４３】
なお、発光指示装置２０は、発光制御信号を、例えば数万人を収容するような大きなコンサート会場の全域に照射するように構成されてもよいし、コンサート会場の観客席面における比較的狭い領域に限定してスポット的に照射するように構成されてもよい。また、照射範囲を適宜変更可能な切り替えスイッチをさらに設けてもよい。
【００４４】
以上のように構成された発光指示装置２０と、図２を参照して上述した発光器１０とによって、複数の発光器１０の発光態様を略同時に遠隔制御可能な発光システム１００を構成することができる。
【００４５】
続いて、発光システム１００において発光器１０が実行する発光処理について説明する。
【００４６】
図５は、発光器１０が実行する発光処理を説明するフローチャートである。本実施形態にかかる発光処理は、ＩＤ書き込み処理の終了後、マイコン８が起動している間、一定の間隔で常時実行するようにマイコン８にプログラムされている。
【００４７】
ステップＳ２０では、マイコン８は、発光制御信号を受信したか否かを判定する。本実施形態の発光制御信号は、発光指示装置２０から出力される赤外線信号である。発光制御信号は、上述の音声データと同様なシリアルデータで表される制御コードであって、発光を指示する発光器１０を特定するための指定ＩＤと、発光体２の発光態様を指示するデータコードである発光指示コードとを少なくとも含む。また、発光制御信号は、その始まりと終わりを規定するためのスタートビット（リーダコード）およびストップビットを含んでもよい。
【００４８】
ステップＳ２０において発光制御信号を受信したと判定されると、続くステップＳ２１の処理が実行される。発光制御信号を受信したか否かは、例えば発光制御信号に含まれるスタートビットが検出されたか否かによって判定される。発光制御信号を受信したと判定されない場合には、発光制御信号を受信するまで待機する。
【００４９】
ここで、発光制御信号によって制御される発光器１０の発光態様の一例について、図６を参照して説明する。なお、本実施形態における発光指示装置２０は、演者側（例えばステージ）に載置され、発光制御信号をコンサート会場の観客席全域に照射するように構成されるものとする。
【００５０】
図６は、発光システム１００において実行される発光処理を説明するための図である。図６は、コンサート会場の観客席を上方から見た模式図であって、マトリクス状に配置された複数の座席で構成される長方形状の観客席面（観客席全体）３０と、当該観客席面を区画した複数の座席群（３０ａ、３０ｂ）と、を示している。また、前提として、観客（ユーザ）は、発光器１０を一つ持っており、図３で示すフローチャートに従って各自の発光器１０に自分の座席に対応する識別ＩＤを書き込んでいるものとする。
【００５１】
図６が示すように、あるタイミングにおける発光制御信号は、観客席面３０を二つの領域に区画して、それぞれの領域内に位置する座席に対応する発光器１０に所定の発光態様を指示するように構成される。例えば、当該発光制御信号は、座席群３０ａに対応する識別ＩＤ（識別ＩＤ＿Ａ）を有する発光器１０にのみ、発光体２を青色に発光するように指示する。
【００５２】
なお、本実施形態においては、観客席面３０において表現したい模様に対応して区画された領域（座席群３０ａ、３０ｂ）とその領域の発光態様（例えば座席群３０ａは青色、３０ｂは消灯）とは予め定められていてもよい。この場合、座席群３０ａに位置する各座席には、同じ識別ＩＤが割り当てられてもよい。一方で、座席群３０ａに位置する座席に１：１で対応するように各座席毎に個別の識別ＩＤが割り当てられるとともに、座席群３０ａに位置する各識別ＩＤに対して略同時に同様の発光態様を指示してもよい。
【００５３】
発光制御信号によって座席群３０ａに対応する識別ＩＤを有する発光器１０の発光を制御した結果、図６が示すように、コンサート会場の観客席全体にわたる多数の発光器１０のうち、中心部分において長方形状に区画された座席群３０ａに係る座席に対応する発光器１０のみを青色に発光させることができる。以下、図５で示すフローに戻って説明を続ける。
【００５４】
ステップＳ２１では、マイコン８は、発光制御信号に含まれる指定ＩＤが、ＩＤ書き込み処理によってユーザに書き込まれた識別ＩＤと一致するか否か判定する。本例における発光制御信号には、図６を用いて上述したように、座席群３０ａに対応する識別ＩＤ＿Ａが割り当てられた発光器１０を特定する指定ＩＤ（指定ＩＤ＿Ａ）と、発光態様として発光体２を青色に発光させることを指示する発光指示コードとが含まれている。
【００５５】
したがって、ステップＳ２１では、観客席全体にわたる多数の発光器１０が備える各マイコン８は、発光制御信号に含まれる指定ＩＤ＿ＡとＩＤ書き込み処理によって書き込まれた識別ＩＤとが一致するか否かをそれぞれ判定する。この時、座席群３０ａに位置する座席のユーザが持つ発光器１０に書き込まれた識別ＩＤは、指定ＩＤ＿Ａと一致する。よって、座席群３０ａ内の座席のユーザが持つ発光器１０が備えるマイコン８は、続くステップＳ２３の処理を実行する。
【００５６】
他方、座席群３０ａ以外の領域に位置する座席のユーザが持つ発光器１０が備えるマイコン８に書き込まれた識別ＩＤは、指定ＩＤ＿Ａと一致しない。よって、マイコン８は、現在の発光態様を維持したまま、以降に受信する発光制御信号に含まれる指定ＩＤと、書き込まれている識別ＩＤとが一致するまでステップＳ２０からステップＳ２１の処理を繰り返し実行する。
【００５７】
ステップＳ２２では、マイコン８は、発光制御信号に含まれる発光指示コードの内容に応じて発光体２を制御する。本例の発光指示コードは青色に発光することを指示しているので、マイコン８は発光体２を青色に発光するように制御して、一の発光制御信号に対する発光処理を終了する。なお、発光制御信号の情報量を低減するために、発光指示コードが指示する具体的な発光態様はマイコン８に予め記憶されていてもよい。例えば、発光指示コードを所定の番号（例えば００１）に設定するとともに、当該番号に対応する具体的な発光態様（例えば、０．２秒間隔の白色光点滅を５秒間継続する）をマイコン８に予め記憶していてもよい。
【００５８】
以上が発光システム１００において発光器１０が実行する発光処理の詳細である。発光器１０が上述の発光処理を実行することによって、演者を含む主催者側は、観客席全体の領域のうち、どの領域の発光器１０をどのような発光態様で発光（又は消灯）させるかを適時個別に制御することができる。
【００５９】
以上、本実実施形態の発光器１０は、発光体２と、発光器１０を特定する指定ＩＤと発光体２の発光態様を指示する発光指示コードとを含む発光制御信号を受信する受信部５と、ユーザが所有する携帯端末５０から出力され発光器１０に割り当てる識別ＩＤを含む音声データを受信するマイク４と、音声データに含まれる識別ＩＤを記憶する記憶媒体８ａと、発光制御信号に含まれる指定ＩＤと識別ＩＤとが一致した場合に、発光指示コードに従って発光体２を発光させる制御部（マイコン８）と、を備える。
【００６０】
これにより、ユーザの携帯端末５０から出力する音声データを用いて、自分の発光器１０にのみ適切なＩＤを書き込むことができる。また、携帯端末５０を用いて発光器１０にＩＤをユーザが直接書き込むことができるので、主催者側の負担を大幅に低減することができる。またさらに、携帯端末５０がスピーカを、発光器１０がマイク４を備えることでＩＤ書き込み処理を実行することができるので、Bluetooth等の通信手段を用いるのに比べてコストを低減することができる。
【００６１】
また、本実施形態の発光器１０は、複数の座席が設置される場で用いられ、識別ＩＤは、ユーザに割り当てられた座席の位置に応じて設定される。これにより、主催者側が発光器１０の配置を座席毎に管理することを要さずに、発光器１０の発光態様を座席毎に制御することができる。
【００６２】
以上、本発明の一実施形態について説明したが、上記実施形態は本発明の適用例の一部を示したに過ぎず、本発明の技術的範囲を上記実施形態の具体的構成に限定する趣旨ではない。
【００６３】
例えば、発光器１０は、図１を参照して説明したペンライト型の発光端末に限られない。上述のＩＤ書き込み処理と発光処理とが実行可能に構成される限り、その形態は適宜変更されてよく、例えばうちわ、リストバンド、帽子等の他の形態に構成されてもよい。また、マイク４、発光体２の位置等も図示する態様に限定されない。
【００６４】
また、発光器１０、および発光指示装置２０の構成も上述した構成に限定されない。例えば、発光器１０は、不図示のモードスイッチをさらに備え、当該モードスイッチがオン状態の場合にのみＩＤ書き込み処理が実行されるように構成されてもよい。これにより、他人の携帯端末から出力される音声データが不意に入力されることによって、他人の識別ＩＤが誤って書き込まれる虞をより低減することができる。また、マイコン８は、特定用途向けのＩＣであるＡＳＩＣやＦＰＧＡにより構成されてもよい。
【００６５】
また、上述したＩＤ書き込み処理は、図３で示すフローチャートに限られない。携帯端末５０から出力される音声データによって識別ＩＤを発光器１０に書き込むことができることを前提に、例えばステップＳ１０の処理は省略されてもよい。また、音声データに含まれる認証コードの態様は上述した態様に特に限定されない。音声データの信頼性を担保する観点から適宜選択されてよく、例えばチャックサム等の簡易な方式が用いられてもよい。
【００６６】
なお、識別ＩＤは、座席に１：１で対応するＩＤである必要は必ずしもない。図６を用いて説明したように、観客席面に表現したい絵、文字、又は模様等に応じて任意に区画した領域内の各座席の識別ＩＤが同じになる場合があってもよい。また、発光器１０に割り当てられる識別ＩＤが一つである必要は必ずしもなく、一つの発光器１０に例えば観客席面に表現したい模様毎に複数の識別ＩＤを割り当ててもよい。発光器１０が携帯端末５０から出力される音声データを介して識別ＩＤを書き込み可能に構成される限り、識別ＩＤの内容および座席に対する割り当て方は適宜変更されてよい。
【００６７】
また、上述した発光処理は、図５で示すフローチャートに限られない。指定ＩＤと識別ＩＤとの一致を判別し、且つ、発光指示コードを読み取ることができることを前提に、例えばステップＳ２０の処理は省略されてもよい。
【００６８】
なお、上述の発光制御信号に含まれる情報も上述した内容に限られない。例えば、一の発進制御信号に含まれる指定ＩＤは、必ずしも一つではなく、複数であってもよい。発光指示装置２０によって複数の発光器１０の発光態様を略同時に制御することできるように構成される限り、発光制御信号にどのような情報を含めるかは適宜変更されてよい。
【符号の説明】
【００６９】
２…発光体
４…マイク
５…受信部
８…制御部（マイコン）
８ａ…記憶媒体（メモリ）
１０…発光器
２０…発光制御装置
５０…携帯端末
１００…発光システム
【図１】
2020202094.tif 000003
【図２】
2020202094.tif 000004
【図３】
2020202094.tif 000005
【図４】
2020202094.tif 000006
【図５】
2020202094.tif 000007
【図６】
2020202094.tif 000008